(57)【要約】      （修正有）【課題】簡易な構造であって、剛性構造を有する移動式簡易住宅用枠体及びこの住宅用枠体に外壁及び屋根等を設けた移動式簡易住宅を提供する。【解決手段】断面正方形の金属角パイプ製の移動式簡易住宅用枠体１００は、第１枠体２００と第２枠体３００からなり、第１枠体は複数の支柱２４０と支柱上端部に設けた上段枠２２０及び、支柱の下端部に設けた下段枠２３０を備え、第２枠体は複数の支柱３４０と支柱上端部に設けた上段枠３２０及び、支柱の下端部に設けた下段枠３３０を備える。この第１枠体と第２枠体は貫通孔Ｈを介してボルトＢ及びナットＮで連結する。移動式簡易住宅はこの移動式簡易住宅用枠体にドア、窓、外壁、屋根等を取付けて作製する。【選択図】図６
0003171103.tif 000002
【実用新案登録請求の範囲】
【請求項１】
断面正方形の金属角パイプ製の移動式簡易住宅用枠体であって、上記移動式簡易住宅用枠体は、
複数の支柱（４０）と、
上記支柱（４０）の上端部に上段縦材（２１）と、隣合う上記上段縦材（２１）に平面視で直角に架渡して設けられた上段補強材（２２）とを備える上段枠（２０）と、
上記支柱（４０）の下端部に下段縦材（３１）、下段横材（３２）、及び隣合う上記下段縦材（３１）に平面視で直角に架渡して設けられた下段補強材（３３）を備える下段枠（３０）と、
からなることを特徴とする移動式簡易住宅用枠体。
【請求項２】
上記断面正方形の金属角パイプ製の上記支柱（４０）、上記上段縦材（２１）、上記上段補強材（２２）、上記下段縦材（３１）、上記下段横材（３２）、及び上記下段補強材（３３）の断面寸法が同一である請求項1に記載の移動式簡易住宅用枠体。
【請求項３】
上記断面正方形の金属角パイプの断面外側の一辺の寸法が４５ｍｍから５５ｍｍ、且つ肉厚は１．４ｍｍから１．８ｍｍである請求項１又は請求項２に記載の移動式簡易住宅用枠体。
【請求項４】
更に貫通孔（５１）を設けた外壁取付け用帯板（５０）を備えた請求項1乃至請求項３のいずれか１項に記載の移動式簡易住宅用枠体。
【請求項５】
断面正方形の金属角パイプ製の移動式簡易住宅用枠体であって、上記移動式簡易住宅用枠体は第１枠体（２００）と第２枠体（３００）とを備え、
上記第１枠体（２００）は複数の支柱（２４０）と、
上記支柱（２４０）の上端部に上段縦材（２２１）と、隣合う上記上段縦材（２２１）に平面視で直角に架渡して設けられた上段補強材（２２２）とを備える上段枠（２２０）と、
上記支柱（２４０）の下端部に下段縦材（２３１）、下段横材（２３２）、及び隣合う上記下段縦材（２３１）と平面視で直角に架渡して設けられた下段補強材（２３３）を備える下段枠（２３０）と、からなり、
上記第２枠体（３００）は複数の支柱（３４０）と、
上記支柱（３４０）の上端部に上段縦材（３２１）と、隣合う上記上段縦材（３２１）に平面視で直角に架渡して設けられた上段補強材（３２２）とを備える上段枠（３２０）と、
上記支柱（３４０）の下端部に下段縦材（３３１）、下段横材（３３２）、及び隣合う上記下段縦材（３３１）に平面視で直角に架渡して設けられた下段補強材（３３３）を備える下段枠（３３０）と、からなり、
上記第１枠体（２００）と上記第２枠体（３００）は溶接及び／又はボルトナットで連結されたことを特徴とする移動式簡易住宅用枠体。
【請求項６】
上記断面正方形の金属角パイプ製の上記第１枠体（２００）を構成する上記支柱（２４０）、上記上段縦材（２２１）、上記上段補強材（２２２）、上記下段縦材（２３１）、上記下段横材（２３２）、及び上記下段補強材（２３３）並びに上記第２枠体（３００）を構成する上記支柱（３４０）、上記上段縦材（３２１）、上記上段補強材（３２２）、上記下段縦材（３３１）、上記下段横材（３３２）、及び上記下段補強材（３３３）の断面寸法が同一である請求項５に記載の移動式簡易住宅用枠体。
【請求項７】
上記断面正方形の金属角パイプの断面外側の一辺の寸法が４５ｍｍから５５ｍｍ、且つ肉厚は１．４ｍｍから１．８ｍｍである請求項５又は請求項６に記載の移動式簡易住宅用枠体。
【請求項８】
更に貫通孔（１５１）を設けた外壁取付け用帯板（１５０）を備えた請求項５乃至請求項７のいずれか１項に記載の移動式簡易住宅用枠体。
【請求項９】
請求項１乃至請求項８のいずれか１項に記載の移動式簡易住宅用枠体に、ドア、窓、床、内壁、天井、外壁及び屋根を備えたことを特徴とする移動式簡易住宅。
【考案の詳細な説明】
【技術分野】
【０００１】
本願考案は移動式簡易住宅に関する。詳しくは断面が同一寸法の金属角パイプを用いて作製された剛性構造の住宅用枠体に、ドア、屋根及び外壁等を設けた移動可能な移動式簡易住宅に関する。
【背景技術】
【０００２】
東日本大震災に見られるように、いったん住宅が破損してしまうと、大量の被災者のための行政による仮設住宅の建設は遅々として進まず、被災者は長期間にわたって不便な共同生活を強いられ、肉体的、精神的ストレスは計り知れない。特に衣食に関する困難な状況は比較的短時間に回復されるが、住居に関しては上述のように困難な状況は長期間解決されない。また、行政の提供する仮設住宅は、被災者の個人的な環境への配慮はほとんど無いため、なれない土地に居住する場合が多く、被災者の生活意欲を奪ってしまい、ストレスから病気になる者も発生する。
【０００３】
また、住宅の破損を免れた場合であっても、引き続く余震の恐怖により、従来の住居に住むことが不可能であり、行政の指定する避難所生活を強いられることになる。この場合に住み慣れた住居所に剛性構造の移動式の簡易住宅が設置できれば、安心して従来の住み慣れた場所で生活をすることができる。
【０００４】
この移動式の簡易住宅は平常時においては、勉強部屋、個室、納戸等に使用できる。本願考案は剛性構造であるために移動の際に外力により歪が生じたり、破損することが無い。このため、ユニックにより吊り下げが可能であり、トラックで長距離移動ができる。また、敷地内においてはハンドリフト、又はテコとコロにより好む場所に容易に移動できる。
本願考案者は地震による人的被害を回避するために、シェルター型の家具等を提案してきたが、ここで剛性構造の移動式簡易住宅を提案する。
【先行技術文献】
【特許文献】
【０００５】
【特許文献１】実用新案登録第３１５６６０９号
【考案の開示】
【考案が解決しようとする課題】
【０００６】
本願考案は簡易な構造であって、剛性構造を有する移動式簡易住宅用枠体及びこの枠体に外壁及び屋根等を設けた移動式簡易住宅を提供する。この移動式簡易住宅は平常時においては勉強部屋、個室及び納戸等として、また、地震等の異常時においては仮設住宅として利用できる。
【課題を解決するための手段】
【０００７】
本願移動式簡易住宅用枠体は、断面が正方形の金属角パイプで作製される。この金属角パイプは汎用のものを使用するため、いずれの場所においても容易且つ迅速に入手できる。このため、この金属角パイプを切断し、溶接することができる設備を有するものはこの移動式簡易住宅用枠体を作製できる。
【０００８】
この移動式簡易住宅用枠体（以下「住宅用枠体」ともいう。）を構成する支柱等が断面寸法が同一の金属角パイプで作製される場合は、単一の金属角パイプで作製できるため、資材調達、管理が容易であり、更に溶接等が容易で作製労力は削減できる。このため、住宅用枠体のコスト削減に資する。
【０００９】
本願移動式簡易住宅用枠体に係る他の考案は、第１枠体と第２枠体とを別個に作製し、後でこの枠体を連結固着して住宅用枠体を完成させるものである。この場合第１枠体製作と第２枠体製作を別の者にさせることができ、分業化が図れ、大量の住宅用枠体を迅速に製作できる。また、同一人による両枠体の製作であっても各枠体は小さいため各枠体を保管するための場所に余裕ができる。
【００１０】
この住宅用枠体に使用される材料は断面が正方形の金属角パイプであり、通常は鉄製のものを使用する。この鉄製角パイプの断面外側の１辺の寸法は４５ｍｍから５５ｍｍであり、肉厚は１．４ｍｍから１．６ｍｍである。この鉄製角パイプで製作された住宅用枠体は軽量であり、外部から受ける応力に対して必要かつ十分の剛性を有する。このため、移動により、歪み、変形等を受けることがない。また、軽量であるため、敷地内の移動は専門家による必要は無く、ハンドリフト、又はハンドリフトがない場合はテコとコロで任意の場所に移動できる。さらに長距離移動の場合は、ユニック付きトラックで容易に移動できる。
【００１１】
この移動式簡易住宅用枠体に、ドア、窓、床、内壁、天井、換気扇、外壁及び屋根等を設け、必要のある場合は断熱材を使用して移動式簡易住宅は完成する。簡易住宅ではあるが、内装を充実させれば普通の住宅と異なることはない。この内装及び外装は、住宅用枠体の作製と同一場所で行うことができるし、又は住宅用枠体を所定の位置に移動させた後にもできる。
【考案の効果】
【００１２】
本願移動式簡易住宅用枠体は、軽量な剛性構造であり、移動が容易である。また、移動による、歪み及び変形はない。この住宅用枠体の材料は断面正方形の金属角パイプであり、特にこの住宅用枠体を構成する部材の全てが同一の断面寸法を有する場合は特に剛性がおおきく、製作が容易である。作製容易性から、作製コストが削減される。
【００１３】
この金属角パイプの断面外側の１辺の寸法は４５ｍｍから５５ｍｍであり、肉厚は１．４ｍｍから１．６ｍｍである場合は、軽量であるとともに剛性が必要かつ十分である。従って、移動が容易であり、移動による歪み、変形等はきわめて生じにくい。
【００１４】
この住宅用枠体にドア、窓、床、天井、内壁、外壁及び屋根等の内装及び外装を施した移動式簡易住宅は一般住宅と変わるところはない。この移動式簡易住宅は平常時においては、勉強部屋、個室等に利用でき、災害時には仮設住宅として利用できる。
【００１５】
【図面の簡単な説明】
【００１６】
【図１】本願移動式簡易住宅用枠体の斜視図である。
【図２】本願移動式簡易住宅用枠体の正面図及び背面図である。
【図３】本願移動式簡易住宅用枠体の平面図及び底面図である。
【図４】本願移動式簡易住宅用枠体の側面図である。
【図５】本願移動式簡易住宅用枠体に外壁取付け用帯板を設けた場合の斜視図である。
【図６】他の態様の本願移動式簡易住宅用枠体に係る第１枠体と第２枠体の連結説明図である。
【図７】他の態様の本願移動式簡易住宅用枠体の斜視図である。
【図８】他の態様の本願移動式簡易住宅用枠体に外壁取付け用帯板を設けた場合の斜視図である。
【図９】他の態様の本願移動式簡易住宅用枠体にドア、窓及び床を設けた例を示す説明図である。
【図１０】本願移動式簡易住宅の斜視図である。
【考案を実施するための形態】
【００１７】
以下、本願考案を実施するための形態を図に基づいて詳細に説明する。これらの図中の記号（または番号）は、共通する部材の場合は省略している。また、図中において部材が明瞭である場合も省略している。これらの図は本願考案を説明するものであり、本願考案がこれらの図に拘束されるものではない。
【００１８】
本願移動式簡易住宅用枠体1０は複数の支柱４０とこの支柱４０の上に設けられる上段枠２０と、この支柱４０の下に設けられる下段枠３０で構成される。
図１はこの住宅用枠体１の斜視図を示す。支柱４０の数は特に制限は無いが、直近の隣合う支柱４０の距離は、好ましくは８００ｍｍから１２００ｍｍである。支柱間の距離が８００ｍｍ未満であると品質過剰であり、１２００ｍｍを超えると住宅用枠体１０の剛性が不足するおそれがあるためである。
【００１９】
上段枠２０を構成する上段縦材２１の数及び位置は特に制限は無いが、この縦材２１の各々が上述の複数の支柱４０の各々の上端部に配設されることが好ましいため、支柱４０の配設の数及び位置により決定することができる。この上段枠２０を構成する上述の上段縦材２１は上段補強材２２で補強する。この上段補強材２２は隣合う上段縦材２１に直角に架渡して設ける。この上段補強材２２の数及び位置には制限は無い。
【００２０】
下段枠３０を構成する下段縦軸３１の数及び位置は特に制限は無いが上述の上段枠２０の例がそのまま適用される。２本の下段横軸材３２は矩形状の下段枠３０の長辺を構成する。下段補強材３２は上述の上段補強材２２の例がそのまま適用される。
【００２１】
図２は、本願移動式簡易住宅用枠体の正面図及び背面図であり、（ａ）は正面図、（ｂ）は背面図である。
図３は本願移動式簡易住宅用枠体の平面図及び底面図である、(ａ)は平面図，（ｂ）は底面図である。
図４は本願移動式簡易住宅用枠体の側面図である。この側面図に示すように上段枠２０を構成する上段縦材２１は下段縦材３１よりやや長く、上段枠２０は水平軸に対して傾斜角θを有する。この上段枠２０には屋根を設けるためである。
【００２２】
この住宅用枠体１０を構成する部材は全て断面形状が正方形である金属角パイプからなる。通常は鉄製角パイプが使用される。住宅用枠体１０の作製が容易になるためである。また、この金属角パイプの断面の外側の１辺の寸法は特に限定は無いが、４５ｍｍから５５ｍｍであることが好ましい。また、この金属パイプの肉厚も特に限定は無いが、１．４ｍｍから２．５ｍｍであることが好ましい。これらのうちで特に１．４ｍｍから１．８ｍｍが特に好ましく用いられる。
特に断面の外側の１辺の寸法が４５ｍｍから５５ｍｍであり且つ肉厚が１．４ｍｍから１．８ｍｍである金属角パイプが好ましく用いられる。この住宅用枠体１０を軽量且つ剛性を担保できるためである。
【００２３】
この金属角パイプを用いて作製された住宅用枠体１０に外壁を取付けるために金属製の帯板５０を設けることができる。この帯板５０は外壁を固定できれば取付けの態様、数、方法等特に限定は無いが、ドア及び窓等の取付けを考慮して決定する。この帯板５０にはあらかじめ外壁を固定するための貫通孔５１を設けておくことができる。
図５はこの帯板５０を設けた場合の住宅用枠体１０の斜視図である。この図に示すように住宅用枠体１０の周囲を取り巻くように支柱４０に取付けることが好ましい。さらに、金属性補強材である補強用三角形状板６０を必要に応じて設けることもできる。
【００２４】
本願移動式簡易住宅用枠体に係る他の考案は、第１枠体２００と第２枠体３００をボルトナット(又は溶接、溶接とボルトナットの併用)で連結して作製される移動式簡易住宅用枠体１００である。
図６は第１枠体２００と第２枠体３００をボルトナットで連結する前の組立て説明図である。
【００２５】
第１枠体２００は断面正方形の金属角パイプで作製される。この第１枠体２００は複数の支柱２４０とこの支柱２４０の上に設けられる上段枠２２０と、この支柱２４０の下に設けられる下段枠２３０で構成される。支柱２４０の数は特に制限は無いが、直近の隣合う支柱２４０の距離は、好ましくは８００ｍｍから１２００ｍｍである。支柱間の距離が８００ｍｍ未満であると品質過剰であり、１２００ｍｍを超えると住宅用枠体１００の剛性が不足するおそれがあるためである。
【００２６】
第１枠体２００を構成する上段枠２２０及び下段枠２３０は、上述の本願考案である移動式簡易住宅用枠体１０を構成する上段枠２０及び下段枠３０がそのまま適用される。
【００２７】
第２枠体３００を構成する上段枠３２０及び下段枠３３０は、上述の第１枠体２００を構成する上段枠２２０及び下段枠２３０がそのまま適用される。
【００２８】
この第１枠体２００と第２枠体は金属角パイプに貫通孔Ｈを設けてボルトＢとナットＮ等で連結して固着する。図６はボルトナットを用いて第１枠体２００と第２枠体３００を連結して固着している。他の方法として溶接等により連結して固着することもできる。第１枠体２００と第２枠体３００とを連結して固着する場合は第１枠体２００と第２枠体３００を別々に製作できる。第１枠体２００と第２枠体３００を異なった工場で製作し、連結は他の工場又は移動式簡易住宅を設置する場所でも連結できる。このため迅速に製作が可能となる。また、在庫保管場所を小さくすることができる。
【００２９】
図７は第１枠体２００と第２枠体３００を連結して得られた移動式簡易住宅用枠体１００の斜視図である。この図に示すように、通常は移動式簡易住宅用枠体で画される空間（部屋の内部）に第１枠体２００及び第２枠体３００の支柱が設置されないように考慮する。
図８は住宅用枠体１００に外壁取付け用帯板１５０を設けた場合の斜視図である。この帯板１５０は外壁を固定できれば取付けの態様、数、方法等特に限定は無いが、ドア及び窓等の取付けを考慮して決定する。この帯板１５０にはあらかじめ外壁を固定するための貫通孔１５１を設けておく。この図に示すように住宅用枠体１００の周囲を取り巻くように支柱２４０及び支柱３４０に取付けることが好ましい。さらに、三角形の金属板補強材６０を必要に応じて必要の箇所に設けることもできる。さらにまた、ユニックによる吊り下げ用フック１６１の貫通孔を設けておくとユニック付きトラックで遠距離を移動させる際に便利である。
【００３０】
移動式簡易住宅は、住宅用枠体１０及び１００に床、内壁、ドア、窓、換気扇、天井、外壁及び屋根等を配設して完成する。
図９は、床１７０、窓１７１、窓１７２及びドア１７３を取付けた状態を示す説明図である。
図１０は、さらに外壁１８０及び屋根１８１を取付けて移動式簡易住宅４００が完成した図を示す。さらにまた、図８に示すようにユニックによる吊り下げフック１６１を設けておくとこの移動式簡易住宅４００の移動が容易である。この吊り下げフック１６１は移動終了後に取外すことができる。
本願考案である移動式簡易住宅４００は、上述の移動式簡易住宅用枠体１０及び移動式簡易住宅用枠体１００に床１７０、内壁、天井、ドア１７３、窓１７２、外壁１８０及び屋根１８１を装備する。
【実施例】
【００３１】
実施例は、図６に示す移動式簡易住宅用枠体１００を作製し、その後外装及び内装を施して、移動式簡易住宅４００を作製した。
Ａ．第１枠体２００の作製
図６に基づいて下記の金属角パイプを使用して第１枠体２００を溶接で作製した。以下単位はｍｍである。
１．支柱        ：縦５０×横５０×長さ２０００、肉厚：１．６  ２本
２．支柱        ：縦５０×横５０×長さ１９５０、肉厚：１．６  ２本
３．支柱        ：縦５０×横５０×長さ１９００、肉厚：１．６  ２本
４．上段縦材    ：縦５０×横５０×長さ２３００、肉厚：１．６  ３本
５、上段補強材  ：縦５０×横５０×長さ８２５、  肉厚：１．６  １０本
６．下段縦材    ：縦５０×横５０×長さ２０００、肉厚：１．６  ３本
８．下段横材    ：縦５０×横５０×長さ１７００、肉厚：１．６  ２本
９．下段補強材  ：縦５０×横５０×長さ８２５、  肉厚：１．６  ６本
Ｂ．第２枠体３００の作製
上述の第２枠体２００と同一材料を使用して第２枠体３００を溶接して作製した。
Ｃ．移動式簡易住宅用枠体１００の作製
第１枠体２００と第２枠体３００をボルトナットで連結固着して移動式簡易住宅用枠体１００を得た。その後、外壁取付け用金属帯板に貫通孔を設けて移動式簡易住宅用枠体１００の周囲に上下２段にして支柱に溶接して取付けた。
Ｄ．移動式簡易住宅４００の作製
上述の移動式簡易住宅用枠体１００に床、内壁、天井、窓、ドアを取付けた。その後、外壁を外壁取付け用金属帯板に外壁を固定し、屋根を上段枠に固定した。ついでユニック用吊り下げフックを上段縦材に４個取付けた。完成図は図１０のとおりである。
Ｅ．実施例の効果
完成した移動式簡易住宅４００をユニック用吊り下げフックを使用して吊り下げテスト、及びフォークリフトによる移動テストを繰り返し行ったが、完成した移動式簡易住宅４００に歪み、変形は無く、ドア及び窓にも異常は認められなかった。
【符号の説明】
【００３２】
１０        移動式簡易住宅用枠体                  
２０        上段枠
２１        上段縦材
２２        上段補強材
３０        下段枠
３１        下段縦材
３２        下段横材
３３        下段補強材
４０        支柱                      
５０        外壁取付け用帯板
５１        貫通孔
６０        補強用三角形状板
１００      他の態様の移動式簡易住宅用枠体
２００      第１枠体
２２０      上段枠
２２１      上段縦材
２２２      上段補強材
３００      第２枠体
３２０      上段枠
３２１      上段縦材
３２２      上段補強材
３３０      下段枠
３３１      下段縦材
３３２      下段横材
３３３      補強材
４００      移動式簡易住宅
【図１】
0003171103.tif 000003
【図２】
0003171103.tif 000004
【図３】
0003171103.tif 000005
【図４】
0003171103.tif 000006
【図５】
0003171103.tif 000007
【図６】
0003171103.tif 000008
【図７】
0003171103.tif 000009
【図８】
0003171103.tif 000010
【図９】
0003171103.tif 000011
【図１０】
0003171103.tif 000012